(57)【要約】  キーシート（２７）は、カバーシート（２１）と、押圧体（２２）と、複数の表示部（２４）とを有している。複数の表示部（２４）は、カバーシート（２１）の上面に配置されている。押圧体（２２）は、複数の表示部（２４）の上に配置されている。カバーシート（２１）内には、遮光部（２５）が形成されている。遮光部（２５）は、表示部（２４）同士の間の直下に配置されている。キーシート（２７）の下面には、導光シート（３４）が配設されている。導光シート（３４）は、基材（３１）と、複数の発光部（３２）とを有している。複数の発光部（３２）は、基材（３１）の下面に配置されている。基材（３１）内には、遮光部（３３）が形成されている。遮光部（３３）は、発光部（３２）同士の間の直上に配置されている。
2012053187.tif 000002
【特許請求の範囲】
【請求項１】
フィルム状で光透過性のカバーシートと、前記カバーシート上面に装着された光透過性の押圧体と、前記押圧体下面と前記カバーシートの間に形成された複数の表示部からなり、前記複数の表示部の間の前記カバーシート内に、暗色の遮光部を設けたキーシート。
【請求項２】
請求項１記載のキーシート下面に、前記キーシートの表示部下方に凹凸状の発光部と、略帯状で暗色の遮光部が設けられた導光シートを配設すると共に、前記導光シート下面の前記キーシートの押圧体下方に、略ドーム状で導電金属薄板製の可動接点を装着した可動接点体。
【発明の詳細な説明】
【技術分野】
【０００１】
本発明は、主に各種電子機器の操作部に使用されるキーシート及びこれを用いた可動接点体に関するものである。
【背景技術】
【０００２】
近年、各種電子機器、特に、携帯電話または電子カメラ等の携帯端末機器においては、周囲が暗い場合でも、発光ダイオードまたはＥＬ素子等を発光させて操作部の照光を行うことで、操作部の識別と操作が容易に行えるものが増えている。これに伴い、これらの機器の操作部に用いられるスイッチに、使い易く多様な照光を行えるものが求められている。【０００３】
このような従来のスイッチについて、図５及び図６を用いて説明する。なお、これらの図面は、構成を判り易くするために、部分的に拡大寸法で表されている。【０００４】
図５は、従来のスイッチの断面図である。図６は、従来のスイッチの平面図である。【０００５】
図５、図６に示すように、カバーシート１は、フィルム状で光透過性のカバーシートである。押圧体２は、絶縁樹脂製で光透過性の押圧体である。カバーシート１の上面には、複数の押圧体２が所定間隔で貼付されている。【０００６】
暗色層３は、黒色または暗褐色等の暗色層であり、複数の押圧体２の上面および側面とカバーシート１の上面とを覆っている。表示部４は、数字、文字、または記号等の形状にくり抜かれた暗色層３の部分である。押圧体２の上面には、複数の表示部４が形成されている。例えば、押圧体２Ａの上面には、数字を示す表示部４Ａと、文字を示す表示部４Ｂとが形成されている。【０００７】
ハードコート層５は、光透過性のハードコート層であり、暗色層３の上面を覆っている。キーシート６は、カバーシート１と、複数の押圧体２と、暗色層３（複数の表示部４）と、ハードコート層５とで構成されている。【０００８】
基材７は、フィルム状で光透過性の基材である。発光部８は、基材７の下面に形成された凹凸部である。切欠部９は、基材７内に略帯状に形成された切欠部である。基材７の下面には、複数の発光部８が形成されている。基材７内には、複数の切欠部９が形成されている。切欠部９は、発光部８同士の間の直上に配置されている。例えば、発光部８Ａ，８Ｂの間の直上には、切欠部９Ａが配置されている。発光部８Ｂ，８Ｃの間の直上には、切欠部９Ｂが配置されている。導光シート１０は、基材７と、複数の発光部８とで構成されている。【０００９】
キーシート６の下面には、導光シート１０が貼付されている。表示部４の真下には、発光部８が配置されている。例えば、表示部４Ａの真下には、発光部８Ａが配置されている。表示部４Ｂの真下には、発光部８Ｂが配置されている。【００１０】
ベースシート１１は、フィルム状で光透過性のベースシートである。可動接点１２は、略ドーム状で導電金属薄板製の可動接点である。導光シート１０の下面には、接着剤（図示せず）によって、ベースシート１１のドーム頂上が貼付されている。ベースシート１１の下面には、複数の可動接点１２が貼付されている。押圧体２の真下には、可動接点１２が配置されている。可動接点体１３は、キーシート６と、導光シート１０と、ベースシート１１と、複数の可動接点１２とで構成されている。【００１１】
配線基板１４は、フィルム状の配線基板または板状の配線基板である。配線基板１４の上下面には、複数の配線パターン（図示せず）が形成されている。固定接点１５は、略円形状の中央固定接点１５Ａと、中央固定接点１５Ａを囲む略馬蹄状または略リング状の外側固定接点１５Ｂとから構成されている。配線基板１４の上面には、複数の固定接点１５が形成されている。【００１２】
配線基板１４の上面には、可動接点体１３が貼付されている。可動接点１２の外周が外側固定接点１５Ｂ上に載置されている。可動接点１２の下面中央が中央固定接点１５Ａと所定の間隙を空けて対向している。【００１３】
発光素子１６は、発光ダイオード等の発光素子である。配線基板１４の上面には、複数の発光素子１６が実装されている。発光素子１６は、発光部８の側方に配置されている。例えば、発光部８Ａの側方には、発光素子１６Ａが配置されている。発光部８Ｂの側方には、発光素子１６Ｂが配置されている。発光素子１６Ａ，１６Ｂの発光面が基材７の端面に向けられている。従来のスイッチは、可動接点体１３と、配線基板１４と、複数の発光素子１６とで構成されている。【００１４】
このように構成されたスイッチは、携帯電話等の電子機器の操作部に装着される。複数の固定接点１５（中央固定接点１５Ａまたは外側固定接点１５Ｂ）、複数の発光素子１６が、配線パターン等を介して、電子機器の電子回路（図示せず）に接続される。【００１５】
以上の構成において、押圧体２が下方へ押圧操作されると、この押圧体２の真下の導光シート１０の部分とベースシート１１の部分とが撓む。これに伴い、略ドーム状の可動接点１２の中央部が押圧される。さらに、この押圧体２に所定の押圧力が加わると、クリック感を伴って、可動接点１２が弾性変形して、可動接点１２の下面中央が中央固定接点１５Ａに接触する。これによって、中央固定接点１５Ａが、可動接点１２を介して、外側固定接点１５Ｂと電気的に接続される。【００１６】
また、この押圧体２への押圧力が解除されると、弾性力によって可動接点１２が略ドーム状に弾性回復し、可動接点１２の下面中央が中央固定接点１５Ａから離れる。これによって、中央固定接点１５Ａが、外側固定接点１５Ｂと電気的に切断される。【００１７】
そして、このような固定接点１５の電気的接離に応じて、電子機器の様々な機能の切換えが行われる。電子機器の電子回路から複数の発光素子１６に電力が供給されると、複数の発光素子１６が発光する。発光素子１６の光が、基材７の端面から導光シート１０内に入射して、基材７内を反射しながら内方へ進む。【００１８】
さらに、この光が、発光部８で拡散されたり、反射されたりして、表示部４を下方から照光する。これによって、周囲が暗い場合でも、表示部４に形成された数字、文字、または記号等を識別することができ、操作部の操作を容易に行うことができる。【００１９】
つまり、従来のスイッチは、次のことが達成されるように構成されている。押圧体２が押圧操作されることによって、導光シート１０とベースシート１１とが押圧される。このとき、可動接点１２が弾性変形して、固定接点１５の電気的接離が行われる。これに伴い、発光素子１６の光が基材７の端面から導光シート１０内に入射して、発光部８が発光する。発光部８からの光がカバーシート１内に入射する。カバーシート１内に入射した光が、カバーシート１内で拡散されて、押圧体２内に入射する。押圧体２内に入射した光によって、押圧体２の上面に配置された表示部４が照光される。【００２０】
ここで、発光部８Ａ，８Ｂの間の直上に配置された切欠部９Ａは、基材７内を発光部８Ａ，８Ｂのうちの一方から他方に進む光を遮断する。これによって、発光部８Ａからの光および発光部８Ｂからの光が基材７内で混ざることが防止される。さらに、発光部８Ａからの光が基材７内を伝って発光部８Ｂの方に漏れることが防止される。同様に、発光部８Ｂからの光が基材７内を伝って発光部８Ａの方に漏れることが防止される。【００２１】
すなわち、切欠部９によって、複数の発光部８からの光が、基材７内で混ざること、基材７内を伝って他の発光部８の方に漏れること等が防止される。【００２２】
なお、この出願の発明に関連する先行技術文献情報としては、例えば、特許文献１が知られている。
【先行技術文献】
【特許文献】
【００２３】
【特許文献１】特開２０１０−２７５３５号公報
【発明の概要】
【発明が解決しようとする課題】
【００２４】
しかしながら、上記従来のスイッチにおいては、カバーシート１内に入射した光が、カバーシート１内を伝って他の表示部４または他の押圧体２の方に漏れる。このため、表示部４が混色で照光される場合、本来なら照光されない表示部４までもが薄明るく照光される場合等が生じる。【００２５】
例えば、発光素子１６Ａの発光色が橙色であり、発光素子１６Ｂの発光色が緑色であるとする。この場合において、発光素子１６Ａ，１６Ｂが発光すると、発光部８Ａが橙色に発光して、発光部８Ｂが緑色に発光する。これに伴い、発光部８Ａからの光（橙色の光）および発光部８Ｂからの光（緑色の光）がカバーシート１内に入射する。カバーシート１内に入射した発光部８Ａからの光（橙色の光）および発光部８Ｂからの光（緑色の光）がカバーシート１内で混ざり、表示部４Ａ，４Ｂが橙色と緑色との混色で照光される。【００２６】
また、発光素子１６Ｂが発光せず、発光素子１６Ａのみが発光すると、発光部８Ｂが発光せずに、発光部８Ａのみが橙色に発光する。これに伴い、発光部８Ａからの光（橙色の光）のみがカバーシート１内に入射する。カバーシート１内に入射した発光部８Ａからの光（橙色の光）がカバーシート１内を伝って表示部４Ｂの方に漏れ、本来なら照光されない表示部４Ｂまでもが薄明るく橙色で照光される。【００２７】
結果として、スイッチが見づらいものとなってしまうという課題がある。【００２８】
本発明は、このような従来の課題を解決するものであり、光の混合または光の漏出を防ぎ、多様な照光が可能なキーシート及びこれを用いた可動接点体を提供することを目的とする。
【課題を解決するための手段】
【００２９】
上記目的を達成するために本発明は、以下の構成を有するものである。【００３０】
本発明に係わるキーシートでは、フィルム状で光透過性のカバーシートと、前記カバーシート上面に装着された光透過性の押圧体と、前記押圧体下面と前記カバーシートの間に形成された複数の表示部からなり、前記複数の表示部の間の前記カバーシート内に、暗色の遮光部を設けたものである。【００３１】
また、本発明に係わる可動接点体では、上記のキーシート下面に、前記キーシートの表示部下方に凹凸状の発光部と、略帯状で暗色の遮光部が設けられた導光シートを配設すると共に、前記導光シート下面の前記キーシートの押圧体下方に、略ドーム状で導電金属薄板製の可動接点を装着したものである。
【発明の効果】
【００３２】
本発明によれば、キーシートの遮光部は、カバーシート内を他の表示部の方に進む光を遮断する。これによって、カバーシート内に入射した光がカバーシート内で混ざったり、他の表示部の方に漏れたりすることが防止される。さらに、導光シートの遮光部は、基材内を他の発光部の方に進む光を遮断する。これによって、発光部からの光が基材内で混ざったり、他の発光部の方に漏れたりすることが防止される。結果として、光の混合または光の漏出等が生じた状態で表示部が照光されることが防止される。このことから、見易く、多様な照光が可能なキーシート及びこれを用いた可動接点体を実現することができる。
【図面の簡単な説明】
【００３３】
【図１】図１は、本発明の実施の形態による可動接点体の断面図である。
【図２Ａ】図２Ａは、本発明の実施の形態による可動接点体の平面図である。
【図２Ｂ】図２Ｂは、本発明の実施の形態による可動接点体の平面図である。
【図３】図３は、本発明の実施の形態による可動接点体を用いたスイッチの断面図である。
【図４】図４は、本発明の他の実施の形態によるキーシートの断面図である。
【図５】図５は、従来のスイッチの断面図である。
【図６】図６は、従来のスイッチの平面図である。
【発明を実施するための形態】
【００３４】
以下、本発明の実施の形態について、図１〜図４を用いて説明する。なお、これらの図面は、構成を判り易くするために、部分的に拡大寸法で表されている。また、背景技術で説明した構成と同一の構成については、同一の符号を付して、説明を簡略化する。
【００３５】
（実施の形態）
図１は、本発明の実施の形態による可動接点体の断面図である。図２Ａ、図２Ｂは、本発明の実施の形態による可動接点体の平面図である。
【００３６】
図１、図２Ａ、図２Ｂに示すように、カバーシート２１は、フィルム状で光透過性のカバーシートであり、ポリウレタン、シリコーンゴム、ポリスチレン、またはポリカーボネート等でできており、可撓性を有している。
【００３７】
押圧体２２は、絶縁樹脂製で光透過性の押圧体であり、ポリカーボネートまたはアクリル等でできている。
【００３８】
暗色層２３は、黒色または暗褐色等の暗色層である。カバーシート２１の上面には、暗色の塗料をスクリーン印刷または噴霧等によって所定の間隔で塗布することで、暗色層２３が形成されている。暗色層２３の上面には、アクリルまたはシリコーン等の接着剤（図示せず）によって、複数の押圧体２２が貼付されている。
【００３９】
表示部２４は、数字、文字、または記号等の形状にくり抜かれた暗色層２３の部分である。押圧体２２の下面には、複数の表示部２４が形成されている。例えば、押圧体２２Ａの下面には、数字を示す表示部２４Ａと、文字を示す表示部２４Ｂとが形成されている。
【００４０】
遮光部２５は、黒色または濃青色等の暗色にしたカバーシート２１の部分である。カバーシート２１内には、複数の遮光部２５が形成されている。遮光部２５は、表示部２４の直下に配置されず、表示部２４同士の間の直下に配置されている。例えば、図２Ａに示すように、表示部２４Ａ，２４Ｂの間の直下には、遮光部２５Ａが配置されている。表示部２４Ｂ，２４Ｃの間の直下には、遮光部２５Ｂが配置されている。すなわち、表示部２４の真下部分を除くカバーシート２１内には、遮光部２５が形成されている。なお、表示部２４に形成された数字、文字、または記号等の部分と、遮光部２５との間が０．５ｍｍ前後空けられている。
【００４１】
ハードコート層２６は、絶縁樹脂製で光透過性のハードコート層であり、アクリル等でできており、複数の押圧体２２の上面および側面を覆っている。
【００４２】
キーシート２７は、カバーシート２１と、複数の押圧体２２と、暗色層２３（複数の表示部２４）と、ハードコート層２６とで構成されている。
【００４３】
基材３１は、フィルム状で光透過性の基材であり、ポリウレタン、シリコーンゴム、ポリスチレン、またはポリカーボネート等でできており、可撓性を有している。
【００４４】
発光部３２は、白色または乳白色等の凹凸部である。基材３１の下面には、ポリエステルまたはエポキシ等をドット状に印刷することで、複数の発光部３２が形成されている。
【００４５】
遮光部３３は、黒色または濃青色等の暗色にした基材３１の部分である。遮光部３３の形状が略帯状である。基材３１内には、複数の遮光部３３が形成されている。遮光部３３は、発光部３２の直上に配置されず、発光部３２同士の間の直上に配置されている。例えば、図２Ｂに示すように、発光部３２Ａ，３２Ｂの間の直上には、遮光部３３Ａが配置されている。発光部３２Ｂ，３２Ｃの間の直上には、遮光部３３Ｂが配置されている。
【００４６】
導光シート３４は、基材３１と、複数の発光部３２とで構成されている。
【００４７】
キーシート２７の下面には、導光シート３４が貼付されている。表示部２４の真下には、発光部３２が配置されている。表示部２４同士の間の直下には、遮光部３３が配置されている。例えば、図１に示すように、表示部２４Ａの真下には、発光部３２Ａが配置されている。表示部２４Ｂの真下には、発光部３２Ｂが配置されている。表示部２４Ｃの真下には、発光部３２Ｃが配置されている。表示部２４Ａ，２４Ｂの間の直下には、遮光部３３Ａが配置されている。表示部２４Ｂ，２４Ｃの間の直下には、遮光部３３Ｂが配置されている。
【００４８】
ベースシート１１は、フィルム状で光透過性のベースシートであり、ポリエチレンテレフタレートまたはポリカーボネート等でできており、可撓性を有している。
【００４９】
可動接点１２は、略ドーム状で導電金属薄板製の可動接点であり、銅合金または鋼等でできている。
【００５０】
ベースシート１１の下面には、複数の可動接点１２が貼付されている。さらに、ベースシート１１の下面には、フィルム状のセパレータ３６が貼付されている。セパレータ３６は、ポリエチレンテレフタレート等でできており、ベースシート１１の下面全面を覆っている。保管と搬送時に可動接点１２の下面に塵埃等が付着しないように、セパレータ３６で可動接点１２の下面が保護されている。
【００５１】
ベースシート１１の上面には、印刷または貼付によって、絶縁樹脂製の突起部３５が設けられている。突起部３５は、可動接点１２の中央上方に配置されている。突起部３５の直径が０．５〜２ｍｍ前後であり、その高さが０．１〜０．３ｍｍ前後である。突起部３５の上面には、アクリルまたはシリコーン等の接着剤（図示せず）が塗布されている。導光シート３４の下面には、突起部３５を介して、ベースシート１１が貼付されている。押圧体２２の真下には、可動接点１２が配置されている。
【００５２】
可動接点体３７は、キーシート２７と、導光シート３４と、ベースシート１１と、複数の可動接点１２とで構成されている。
【００５３】
図３は、本発明の実施の形態による可動接点体３７を用いたスイッチの断面図である。
【００５４】
図３に示すように、配線基板１４は、ポリエチレンテレフタレートまたはポリカーボネート等でできたフィルム状の配線基板、あるいは紙フェノールまたはガラス入りエポキシ等でできた板状の配線基板である。配線基板１４の上下面には、銅箔等によって、複数の配線パターン（図示せず）が形成されている。
【００５５】
固定接点１５は、略円形状の中央固定接点１５Ａと、中央固定接点１５Ａを囲む略馬蹄状または略リング状の外側固定接点１５Ｂとから構成されている。配線基板１４の上面には、銅またはカーボン等によって、複数の固定接点１５が形成されている。
【００５６】
配線基板１４の上面には、セパレータ３６が剥離された可動接点体３７が貼付されている。可動接点１２の外周が外側固定接点１５Ｂ上に載置されている。可動接点１２の下面中央が中央固定接点１５Ａと所定の間隙を空けて対向している。
【００５７】
発光素子１６は、発光ダイオード等の発光素子である。配線基板１４の上面には、複数の発光素子１６が実装されている。発光素子１６は、発光部３２の側方に配置されている。例えば、図２Ｂに示すように、発光部３２Ａの側方には、発光素子１６Ａが配置されている。発光部３２Ｂの側方には、発光素子１６Ｂが配置されている。発光素子１６Ａ，１６Ｂの発光面が基材３１の端面に向けられている。
【００５８】
本実施の形態によるスイッチは、可動接点体３７と、配線基板１４と、複数の発光素子１６とで構成されている。
【００５９】
このように構成されたスイッチは、携帯電話等の電子機器の操作部に装着される。複数の固定接点１５（中央固定接点１５Ａまたは外側固定接点１５Ｂ）、複数の発光素子１６が、配線パターン等を介して、電子機器の電子回路（図示せず）に接続される。
【００６０】
以上の構成において、押圧体２２が下方へ押圧操作されると、この押圧体２２の真下のカバーシート２１の部分と導光シート３４の部分とが撓む。これに伴い、突起部３５とベースシート１１とを介して、導光シート３４の下面で、略ドーム状の可動接点１２の中央部が押圧される。さらに、この押圧体２２に所定の押圧力が加わると、クリック感を伴って、可動接点１２が弾性変形して、可動接点１２の下面中央が中央固定接点１５Ａに接触する。これによって、中央固定接点１５Ａが、可動接点１２を介して、外側固定接点１５Ｂと電気的に接続される。
【００６１】
また、この押圧体２２への押圧力が解除されると、弾性力によって可動接点１２が略ドーム状に弾性回復し、可動接点１２の下面中央が中央固定接点１５Ａから離れる。これによって、中央固定接点１５Ａが、外側固定接点１５Ｂと電気的に切断される。
【００６２】
そして、このような固定接点１５の電気的接離に応じて、電子機器の様々な機能の切換えが行われる。電子機器の電子回路から複数の発光素子１６に電力が供給されると、複数の発光素子１６が発光する。発光素子１６の光が、基材３１の端面から導光シート３４内に入射して、基材３１内を反射しながら内方へ進む。
【００６３】
さらに、この光が、発光部３２で拡散されたり、反射されたりして、表示部２４を下方から照光する。これによって、周囲が暗い場合でも、表示部２４に形成された数字、文字、または記号等を識別することができ、操作部の操作を容易に行うことができる。
【００６４】
つまり、本発明の実施の形態によるスイッチは、次のことが達成されるように構成されている。押圧体２２が押圧操作されることによって、導光シート３４とベースシート１１とが押圧される。このとき、可動接点１２が弾性変形して、固定接点１５の電気的接離が行われる。これに伴い、発光素子１６の光が基材３１の端面から導光シート３４内に入射して、発光部３２が発光する。発光部３２からの光がカバーシート２１内に入射する。カバーシート２１内に入射した光によって、押圧体２２の下面に配置された表示部２４が照光される。
【００６５】
ここで、発光部３２Ａ，３２Ｂの間の直上に配置された遮光部３３Ａは、基材３１内を発光部３２Ａ，３２Ｂのうちの一方から他方に進む光を遮断する。これによって、発光部３２Ａからの光および発光部３２Ｂからの光が基材３１内で混ざることが防止される。さらに、発光部３２Ａからの光が基材３１内を伝って発光部３２Ｂの方に漏れることが防止される。同様に、発光部３２Ｂからの光が基材３１内を伝って発光部３２Ａの方に漏れることが防止される。
【００６６】
また、表示部２４Ａ，２４Ｂの間の直下に配置された遮光部２５Ａは、カバーシート２１内を表示部２４Ａ，２４Ｂのうちの一方から他方に進む光を遮断する。これによって、発光部３２Ａからの光および発光部３２Ｂからの光がカバーシート２１内で混ざることが防止される。さらに、発光部３２Ａからの光がカバーシート２１内を伝って表示部２４Ｂの方に漏れることが防止される。同様に、発光部３２Ｂからの光がカバーシート２１内を伝って表示部２４Ａの方に漏れることが防止される。
【００６７】
例えば、発光素子１６Ａの発光色が橙色であり、発光素子１６Ｂの発光色が緑色であるとする。この場合において、発光素子１６Ａ，１６Ｂが発光すると、発光部３２Ａが橙色に発光して、発光部３２Ｂが緑色に発光する。
【００６８】
これに伴い、発光部３２Ａ，３２Ｂからの光は、遮光部３３Ａによって、基材３１内で混ざることなく、カバーシート２１内に入射する。このとき、発光部３２Ａの方から橙色の光がカバーシート２１内に入射する。発光部３２Ｂの方から緑色の光がカバーシート２１内に入射する。
【００６９】
さらに、発光部３２Ａ，３２Ｂからカバーシート２１内に入射した光は、遮光部２５Ａによって、カバーシート２１内で混ざることなく、表示部２４Ａ，２４Ｂを照光する。このとき、表示部２４Ａが橙色に照光される。表示部２４Ｂが緑色に照光される。
【００７０】
また、発光素子１６Ａが発光せず、発光素子１６Ｂのみが発光すると、発光部３２Ａが発光せずに、発光部３２Ｂのみが緑色に発光する。
【００７１】
これに伴い、発光部３２Ｂからの光は、遮光部３３Ａによって、基材３１内を伝って発光部３２Ａの方に漏れることなく、カバーシート２１内に入射する。このとき、発光部３２Ｂの方からのみ橙色の光がカバーシート２１内に入射する。発光部３２Ａの方から橙色の光がカバーシート２１内に入射することはない。
【００７２】
さらに、発光部３２Ｂからカバーシート２１内に入射した光は、遮光部２５Ａによって、カバーシート２１内を伝って表示部２４Ａの方に漏れることなく、表示部２４Ｂのみを照光する。このとき、表示部２４Ｂのみが緑色に照光される。表示部２４Ａが薄明るく照光されることはない。
【００７３】
すなわち、遮光部２５，３３によって、複数の発光部３２からの光が、基材３１内またはカバーシート２１内で混ざったり、他の発光部３２の方または他の表示部２４の方に漏れたりすることが防止される。このことから、本実施の形態によるスイッチは、見易く多様な照光を行うことができる。
【００７４】
このように、本実施の形態によれば、カバーシート２１内には、表示部２４同士の間の直下に配置される遮光部２５が形成されている。基材３１内には、発光部３２同士の間の直上に配置される遮光部３３が形成されている。これによって、光の混合または光の漏出等が生じた状態で表示部２４が照光されることが防止される。結果として、見易く、多様な照光が可能なキーシート２７及びこれを用いた可動接点体３７を得ることができる。
【００７５】
さらに、本実施の形態によれば、ベースシート１１の上面には、可動接点１２の中央上方に配置される突起部３５が設けられている。これによって、可動接点１２よりも大きな押圧体２２で押圧操作が行われた場合でも、押圧体２２がやや傾いた状態で押圧操作が行われた場合でも、突起部３５によって常に可動接点１２の中央が押圧されて、可動接点１２の弾性変形が行われる。このため、クリック感のある良好な操作感触を得ることができる。
【００７６】
なお、カバーシート２１が膨潤可能であることから、下記の（方法１）で比較的簡易に遮光部２５を形成することができる。または、下記の（方法２）でも遮光部２５を形成することができる。さらに、基材３１も膨潤可能であることから、遮光部２５と同様の方法で遮光部３３を形成することができる。
【００７７】
（方法１）暗色の染料が溶解する溶剤に暗色の染料を分散させたインクを、インクジェット方式等によって、カバーシート２１の表面に噴き付ける。所定温度で所定時間、カバーシート２１を加熱する。
【００７８】
ここで、カバーシート２１にポリウレタンを用いた場合には、アセトンまたはシクロヘキサノン等の溶剤にアゾ系染料を分散させたインクを使用すればよい。カバーシート２１にシリコーンゴムを用いた場合には、ガソリンまたはベンゼン等に油溶性含金染料を分散させたインクを使用すればよい。カバーシート２１にポリカーボネートを用いた場合には、トルエンまたはキシレン等にアゾ系染料を分散させたインクを使用すればよい。
【００７９】
（方法２）上記の溶剤にアクリルまたはフェノキシ等の樹脂を加えたインクを、スクリーン印刷等によって、カバーシート２１の表面に塗布する。カバーシート２１を加熱し、カバーシート２１内に暗色の染料を浸透させる。
【００８０】
なお、複数の遮光部２５は、キーシート２７を製作する際に、インクジェットまたはスクリーン印刷等によって、同時に形成することができる。複数の遮光部３３も、導光シート３４を製作する際に、インクジェットまたはスクリーン印刷等によって、同時に形成することができる。このため、遮光部２５，３３の数が増えた場合でも、製作時間が増加することはない。さらに、遮光部２５，３３は、背景技術で説明したような切欠部とは異なり、可動接点１２の弾性変形を損なうことがない。このため、良好な操作感触を得ることができる。
【００８１】
なお、遮光部２５は、例えば、遮光部３３と同様に、略帯状に形成されているとしてもよい。または、遮光部２５は、表示部２４等を囲むように、略額縁状に形成されているとしてもよい。ただし、上記の構成のように、複数の表示部２４の真下部分を除くカバーシート２１内に、遮光部２５が形成されている。これによって、カバーシート２１内で光が混合したり、光が漏れたりすることを防止することができる。さらに、発光部３２の光が遮光部２５で吸収されることで、基材３１とカバーシート２１との間の隙間等で発光部３２の光が反射されて不要な箇所に光が漏れることを防止することができる。
【００８２】
なお、図４に示すように、カバーシート２１の上面全面に暗色層２３が形成されているとしてもよい。さらに、複数の押圧体２２の上面および側面と、カバーシート２１の上面とが、ハードコート層２６で覆われているとしてもよい。
【００８３】
なお、カバーシート２１の下面、特に、導光シート３４の上面と接触する部分が、微細な凹凸状に形成されているとしてもよい。これによって、押圧操作時に、カバーシート２１が導光シート３４に密着し易くなる。さらに、可動接点１２の弾性変形を妨げることを防止することができ、良好な操作感触で押圧操作を行うことができる。
【００８４】
なお、発光素子１６として、橙色、または緑色等に発光するものの代わりに、白色、青色、または赤色等に発光するものを用いるとしてよい。これによって、白色、青色、または赤色等の様々な色に表示部２４を照光することができる。
【００８５】
なお、基材３１の下面の代わりに、基材３１の上面に、複数の発光部３２が形成されているとしてもよい。これによって、印刷以外に、貼付、インクジェット、レーザ加工、プレス加工、または成形加工等の様々な方法によっても、発光部３２を形成することができる。
【００８６】
なお、上記の可動接点体３７からベースシート１１が省かれて、直接、基材３１の下面に複数の可動接点１２が貼付されているとしてもよい。これによって、全体の構成部品数を減らすことができ、可動接点体３７または可動接点体３７を用いたスイッチをより簡易で安価に形成することができる。
【産業上の利用可能性】
【００８７】
本発明によるキーシート及びこれを用いた可動接点体は、光の混合または光の漏出が防がれたものであり、多様な照光が可能なものであり、主に各種電子機器の操作用として有用である。
【図１】
2012053187.tif 000003
【図２Ａ】
2012053187.tif 000004
【図２Ｂ】
2012053187.tif 000005
【図３】
2012053187.tif 000006
【図４】
2012053187.tif 000007
【図５】
2012053187.tif 000008
【図６】
2012053187.tif 000009
【国際調査報告】
2012053187.tif 000010
2012053187.tif 000011
2012053187.tif 000012
2012053187.tif 000013